(57)【要約】【課題】移動が自由にでき、かつ重量物を収納した場合でも移動が容易な踏み台兼用収納ボックスを提供すること。【解決方法】上面に踏み板１２を組み付け、正面に引手部１４を設けた箱本体１１と、キャスター２０及びストッパ１５とを備え、キャスター２０が箱本体１１をその底面の略全面が床面に接するように設置したとき床面との間に所定の隙間を保ち、かつ引手部１４を掴み箱本体１１の正面側を持ち上げて箱本体１１を背面下がりに傾斜させたとき床面に接するように箱本体１１の所定位置に取り付けられ、ストッパ１５が作動位置と非作動位置のいずれかの位置を択一的に占めるように箱本体１１に取り付けられ、かつ作動位置においては箱本体１１が背面下がりに傾斜するのを阻止し、非作動位置においては箱本体が背面下がりに傾斜するのを許容する。【選択図】図２
2007063794.tif 000002
【特許請求の範囲】
【請求項１】
上面に踏み板を組み付け、正面に引手部を設けた箱本体と、キャスター及びストッパとを備え、前記キャスターが箱本体をその底面の略全面が床面に接するように設置したとき床面との間に所定の隙間を保ち、かつ引手部を掴み箱本体の正面側を持ち上げて箱本体を背面下がりに傾斜させたとき床面に接するように箱本体の所定位置に取り付けられ、前記ストッパが作動位置と非作動位置のいずれかの位置を択一的に占めるように箱本体に取り付けられ、かつ作動位置においては箱本体が前記背面下がりに傾斜するのを阻止し、非作動位置においては箱本体が前記背面下がりに傾斜するのを許容することを特徴とする踏み台兼用収納ボックス。
【請求項２】
前記箱本体の背面下部に凹所を設け、該凹所内に前記キャスターを取り付たことを特徴とする請求項１に記載の踏み台兼用収納ボックス。
【請求項３】
前記ストッパを先端部にパッドが固着されたレバーで構成し、該レバーを前記箱本体の背面に倒伏する非作動位置と背面から垂下して前記パッドが床面に接する作動位置との間で上下方向へ回動可能に組み付けたことを特徴とする請求項１に記載の踏み台兼用ボックス。
【請求項４】
前記箱本体の底面に摩擦材製シートを貼着したことを特徴とする請求項１に記載の踏み台兼用ボックス。
【発明の詳細な説明】
【技術分野】
【０００１】
本発明は踏み台兼用収納ボックスに関する。
【背景技術】
【０００２】
踏み台兼用収納ボックスの一形式として、特開２００４−２９８４３３号公報には直方体の箱本体の上面に踏み板を固定し、箱本体の底面の四隅にキャスターを取り付け、この箱本体を伸縮可能なレールで引き戸棚の下部に引き出し可能に連結した収納ボックスが開示されている。
【特許文献１】特開２００４−２９８４３３号公報
【発明の開示】
【発明が解決しようとする課題】
【０００３】
上記した従来の踏み台兼用収納ボックスは底面にキャスターが取り付けられているので、重量物品を収納した場合でも円滑に引き戸棚から出し入れできる。しかしながら、ボックスがレールで引き戸棚に連結されているため、専ら引き戸棚の上部に収納されている物品の出し入れに踏み台として利用できるだけで、引き戸棚とは別の場所で踏み台として使用することはできない。
【０００４】
本発明はかかる点に鑑み、移動が自由にでき、かつ重量物を収納した場合でも移動が容易な踏み台兼用収納ボックスを提供することを目的とする。
【課題を解決するための手段】
【０００５】
請求項１に記載の発明に係る踏み台兼用収納ボックスは、上面に踏み板を組み付け、正面に引手部を設けた箱本体と、キャスター及びストッパとを備え、前記キャスターが箱本体をその底面の略全面が床面に接するように設置したとき床面との間に所定の隙間を保ち、かつ引手部を掴み箱本体の正面側を持ち上げて箱本体を背面下がりに傾斜させたとき床面に接するように箱本体の所定位置に取り付けられ、前記ストッパが作動位置と非作動位置のいずれかの位置を択一的に占めるように箱本体に取り付けられ、かつ作動位置においては箱本体が前記背面下がりに傾斜するのを阻止し、非作動位置においては箱本体が前記背面下がりに傾斜するのを許容することを特徴とする。
そして、好ましくは、前記箱本体の背面下部に凹所を設け、該凹所内に前記キャスターを取り付ける。
また、好ましくは、前記ストッパを先端部にパッドが固着されたレバーで構成し、該レバーを前記箱本体の背面に倒伏する非作動位置と背面から垂下して前記パッドが床面に接する作動位置との間で上下方向へ回動可能に組み付ける。
さらに好ましくは、前記箱本体の底面に摩擦材製シートを貼着する。
【発明の効果】
【０００６】
本発明に係る踏み台兼用収納ボックスは、引手に指を掛けて箱本体を持ち上げ、背面下がりに傾斜させるとキャスターが床に接触し底面が床から離れる。そのため、道具類等を収納して重たくなったボックスも軽く押したり、引くだけでキャスターが回転して円滑に移動させることができる。
箱本体にストッパを設けたので、踏み台として使用するときストッパを作動位置にセットすれば、箱本体が背面下がりに傾斜するのを防止でき、踏み板の上に載っても足下が揺らぐおそれはない。
凹所にキャスターを取り付けることにより、キャスターの箱本体からの突出寸法を可及的に少なくできる。このため、保管するときや踏み台として使用するとき壁や家具にキャスターが当たって設置場所が制限されるといった不都合が無くなり、使い勝手が向上する。
ストッパとして先端部にパッドを固着したレバーを採用することにより、ストッパの構造が簡単になり、操作性も良くなるので、より一層使い勝手が向上する
箱本体の底面に摩擦材製シートを貼着することにより、踏み台として使用するとき、箱本体の滑りを確実に防止でき、踏み台として使用するときの安全性が向上する。
【発明を実施するための最良の形態】
【０００７】
上面に開口を有し、正面に引手部を設けた直方体の箱本体と、箱本体に取り付けられて箱本体の上面開口を開閉する踏み板と、キャスター及び先端にパッドを固着したストッパレバーとを備え、前記キャスターを箱本体の背面下部に凹所内に取り付ける。キャスターは箱本体をその底面の略全面が床面に接するように設置したとき床面との間に所定の隙間を保ち、かつ引手部を掴み箱本体の正面側を持ち上げて箱本体を背面下がりに傾斜させたとき床面に接するように箱本体の所定位置に取り付ける。ストッパレバーは作動位置と非作動位置のいずれかの位置を択一的に占めるように箱本体に取り付け、作動位置においてはパッドが床面に圧接して、箱本体が前記背面下がりに傾斜するのを阻止し、非作動位置においてはパッドが床面から離れ、箱本体が前記背面下がりに傾斜するのを許容するように箱本体に組み付ける。箱本体の底面には摩擦材製シートを貼着する。
【実施例】
【０００８】
以下に本発明の実施例を図面に基づき説明するに、図１〜図４には本発明の一実施例に係る踏み台兼用収納ボックス１０が示されている。当該収納ボックス１０は直方体の箱本体１１と、箱本体１１の上面開口を覆蓋する踏み板１２を備え、踏み板１２はヒンジ１３で箱本体１１の背面上端部に開閉可能に組み付けられている。
【０００９】
箱本体１１の正面１１ａの中央上端部には引手部１４として長方形の凹部が形成されている。箱本体１１の背面１１ｂの中央部にはストッパレバー１５が軸１６を支点にして上下に回動可能に組み付けられている。ストッパレバー１５の先端部にはゴム等の摩擦材からなるパッド１７が固着されている。ストッパレバー１５は軸１６部分に組み込まれたクリック機構（図示せず）により背面１１ｂに倒伏する非作動位置（図１、図４参照）と、背面１１ｂから垂下してパッド１７が床面１８に圧接する作動位置（図２、図３参照）の２位置のうちいずれかの位置に択一的に保持できるように組み付けられている。
【００１０】
箱本体１１の背面下部（背面と底面が交差する角部）に左右方向に延びる凹所１９が形成され、凹所１９の左右両端部にキャスター２０が固着されている。キャスターは図３に示すように、箱本体１１をその底面の略全面が床１８に接するように置いたとき床１８との間に所要寸法の隙間が形成され、かつ背面１１ｂから後方へ僅かに突出するように、所定位置に固着されている。箱本体１１の底面には凹所１９を除く全面にゴム等の摩擦材製シート２１が貼着されている。
【００１１】
本実施例に係る踏み台兼用収納ボックスの構造１０は以上の通りであって、踏み板１２を開閉して箱本体１１内に品物を出し入れする。踏み台として使用するときは、図２及び図３に示すようにストッパレバー１５を下方へ回動してパッド１７を床面１８に圧接させる。しかる後に、踏み板１２の上に足を乗せ、踏み台にする。箱本体１１の背面１１ｂ寄りに体重が加わってもストッパレバー１５が体重を支えるので、箱本体１１が背面下がりに傾斜することはない。
【００１２】
踏み台兼用収納ボックス１０を移動させるときは、図１に示すように、ストッパレバー１５を背面１１ｂに倒伏する非作動位置まで回動させる。そうしておいて、引手部１４に指を掛け、図４に示すよう箱本体１１の正面１１ａ側を持ち上げて箱本体１１を背面下がりに傾斜させ、箱本体１１の底面を床面から離してキャスター２０を床面１８に接触させる。この状態で箱本体１１を引いたり、押したりすると、キャスター２０が回転して箱本体１１が床１８上を滑動する。
【００１３】
本実施例に係る踏み台兼用収納ボックス１０は、引手部１４に指を掛けて箱本体１１を持ち上げ、背面下がりに傾斜させるとキャスター２０が床１８に接触し底面が床１８から離れる。そのため、道具類等を収納して重たくなったボックス１０も軽く押したり、引くだけでキャスター２０が回転して円滑に移動させることができる。
【００１４】
箱本体１１にストッパレバー１５を設けたので、踏み台として使用するときストッパレバー１５を作動位置にセットすれば、箱本体１１が背面下がりに傾斜するのを防止でき、踏み板１２の上に載っても足下が揺らぐおそれはない。
【００１５】
箱本体１１の背面１１ｂ下部に凹所１９を設け、凹所１９内にキャスター２０を取り付けたので、キャスター２０の箱本体１１からの突出寸法を可及的に少なくできる。このため、保管するときや踏み台として使用するとき壁や家具にキャスター２０が当たって設置場所が制限されるといった不都合が無くなり、使い勝手が良い。
【００１６】
箱本体１１の底面に摩擦材製シート２１を貼着したので、踏み台として使用するとき、箱本体１１の滑りを確実に防止でき、踏み台として使用するときの安全性が高い。
【図面の簡単な説明】
【００１７】
【図１】本発明の実施例に係る踏み台兼用収納ボックスを示す斜視図である。
【図２】同収納ボックスの踏み台としての使用方法を示す説明図である。
【図３】同収納ボックスの踏み台としての使用方法を示す側面図である。
【図４】同収納ボックスの移動方法を示す説明図である。
【符号の説明】
【００１８】
１０…踏み台兼用収納ボックス、１１…箱本体、１２…踏み板、１４…引手部、１５…ストッパレバー、１７…パッド、１８…床面、１９…凹所、２０…キャスター、２１…摩擦材製シート。
【図１】
2007063794.tif 000003
【図２】
2007063794.tif 000004
【図３】
2007063794.tif 000005
【図４】
2007063794.tif 000006